(57)【特許請求の範囲】
【請求項１】
光軸回りに回転しながら光軸方向に移動する第１の鏡筒部材と、
該第１の鏡筒部材に対して光軸方向に移動可能な第２の鏡筒部材と、
光軸方向に延びて前記第２の鏡筒部材と係合する腕部を有し、該腕部を介して前記第２の鏡筒部材の光軸回りの回転を規制する回転規制部材とを備え、
前記腕部は、有効光路に面する領域において、開口部を有することを特徴とするレンズ鏡筒。
【請求項２】
前記腕部は、前記有効光路に面する領域において、前記開口部を複数有することを特徴とする請求項１に記載のレンズ鏡筒。
【請求項３】
前記腕部における前記有効光路に面する領域外の領域に対して有効光路側には、第３の鏡筒部材が配置されていることを特徴とする請求項１又は２に記載のレンズ鏡筒。
【発明の詳細な説明】
【０００１】
【発明の属する技術分野】
本発明は、レンズ鏡筒に関するものである。
【０００２】
【従来の技術】
近年コンパクトカメラ市場において、非撮影時にはレンズ鏡筒がカメラ本体の厚さほどに収納される所謂フルフラットカメラが多数市場に出回っている。
【０００３】
このようなレンズ鏡筒の構成は、レンズ鏡筒をカメラ本体ほどの厚さに収納するために、レンズ鏡筒を光軸方向に短い複数の鏡筒部材で構成し、それらを複数組み合わせて光学的性能を満たすように構成している。特開平8-4391号公報及び、特開平8-190042号公報では、複数段繰り出すレンズ鏡筒で、非撮影時にはフルフラットを実現する構成が提案されている。
【０００４】
特開平8-4391号公報記載のレンズレンズ鏡筒の構成では、カメラ本体に固定された固定筒と、該固定筒に内接し回転しつつ光軸方向に移動可能な回転筒と、該回転筒と相対的に回転可能な状態で取り付けられ、かつ光軸方向の動きを該回転筒に拘束された回転規制部材と、該回転規制部材の内側に配置され第二レンズ群を内包する回転規制部材と、該回転筒と該回転規制部材との間に配置され第一レンズ群を内包する直進筒とで構成されている。前記回転規制部材は複数本の光軸方向に延びた円弧を描くような腕状の構造が開示されている。
【０００５】
特開平8-190042号公報記載のレンズ鏡筒の構成では、カメラ本体に固定された固定筒と、該固定筒に内接し回転しつつ光軸方向に移動可能な回転筒と、該回転筒と相対的に回転可能な状態で取り付けられ、かつ光軸方向の動きを該回転筒に拘束された回転規制部材と、該回転筒と該回転規制部材との間に配置され第一レンズ群を内包する直進筒とで構成されている。前記回転規制部材は複数本の光軸方向に延びた平板状の構造が開示されている。
【０００６】
【発明が解決しようとする課題】
しかしながら、特開平8-4391号公報及び、特開平8-190042号公報に記載のレンズ鏡筒にあっては、前記回転規制部材が有効光路の近傍に光軸方向に延びた腕状の形状に形成されており、勿論、有効光路を遮断するような配置はなされていないが、有効光路に近いために、有効光路外から入射した光が前記光軸方向に延びた腕状部分の光路側の面で反射し、露光フィルムの有効露光領域に有害光として入り込んでしまう、所謂ゴーストが発生することが考えられる。
【０００７】
このようなゴーストを防止するために、前記回転規制部材の前記光軸方向に延びた腕状部分の光路側の面に、有害光を散乱させる遮光線を設けたり、反射減衰効果を持つ塗料を塗布することなどが実施されてきている。
【０００８】
しかし、いずれの対策も有害光を減衰させるという効果を狙ったものであり、反射してくる有害光を無くすことはできない。
【０００９】
本出願に係る発明の目的は、このような問題に鑑み為されたもので、従来のレンズ鏡筒の構造を殆ど変更することなく前記回転規制部材の前記光軸方向に延びた腕状部分の光路側の面での有害反射光を減らすことができるレンズ鏡筒を提供しようとするものである。
【００１０】
【課題を解決するための手段】
本発明は、光軸回りに回転しながら光軸方向に移動する第１の鏡筒部材と、該第１の鏡筒部材に対して光軸方向に移動可能な第２の鏡筒部材と、光軸方向に延びて前記第２の鏡筒部材と係合する腕部を有し、該腕部を介して前記第２の鏡筒部材の光軸回りの回転を規制する回転規制部材とを備え、前記腕部は、有効光路に面する領域において、開口部を有することを特徴とする。
【００１５】
【発明の実施の形態】
（第１の実施の形態）
図１から図３は本発明の第１の実施の形態を示す。
【００１６】
図１は本実施の形態のレンズレンズ鏡筒の分解斜視図、図２は図１の回転規制部材Ｂの斜視図、図３は図１のレンズ鏡筒のテレ状態を示し、不図示のカメラ本体側から前方を見た斜視図である。
【００１７】
図１、図２および図３において、筒状の固定部材Ａに対して、カム筒（第１の鏡筒部材）Ｄと直進筒（第２の鏡筒部材）Ｅとが繰り出される２段繰り出しレンズ鏡筒を示している。図１において、不図示のカメラ本体には筒状の固定部材Ａが固定されており、この筒状の固定部材Ａ内には、光軸周りに回転しつつ光軸方向に移動可能なカム筒Ｄが内接するように設けられている。なお、Ｆはレンズ鏡筒カバーである。
【００１８】
また、カム筒Ｄ内には、光軸周りには回転せずに光軸方向に移動可能な直進筒Ｅが内接するように設けられている。
【００１９】
一方、直進筒Ｅの回転を規制して光軸方向に沿って直進案内する回転規制部材Ｂは、径方向外方に突出した突起部Ｂ−３が固定部材Ａの内周壁に形成された直進溝Ａ−２に係合することにより、光軸回りの回転が規制され光軸方向に沿って直進する。この回転規制部材Ｂは、回転規制取り付け部材Ｃと一体に組まれ、この回転規制取り付け部材Ｃが前記カム筒Ｄと相対的に光軸周りに回転可能な状態で取り付けられ、かつ光軸方向の動きを前記カム筒Ｄに拘束されていることにより、カム筒Ｄが回転繰り出しする際に、カム筒Ｄと一体に光軸方向に移動するが光軸回りには回転しないようになっている。尚、本実施の形態では前記回転規制部材Ｂと前記回転規制取り付け部材Ｃとを別体としているが、一体に成型されていても何ら問題はない。
【００２０】
前記カム筒Ｄは、外周後端に設けられた歯車部D-3 に外部より回転駆動力を受け回転する。その際、前記歯車部D-3 および歯車がない領域に設けられたヘリコイドD-4 と、前記筒状の固定部材Ａの内面に設けられたヘリコイドA-1 との係合関係により、光軸方向に駆動される。
【００２１】
前記直進筒Ｅは、前記回転規制部材Ｂに設けられた、光軸方向前方に延びる腕状規制部B-1,B-2 により光軸周りの回転防止規制を受けつつ、外周に設けられた一群ピンP-1 と前記カム筒Ｄの内面に設けられた一群カム溝D-1 との係合関係より、光軸方向に駆動される。なお、前記直進筒Ｅはレンズ群（不図示）を内包している。
【００２２】
レンズ群ホルダーＧはレンズ群（不図示）を内包し、前記直進筒Ｅから光軸周りの回転防止規制を受けつつ、外周に設けられた二群ピンP-2 と前記カム筒Ｄの内面に設けられた二群カム溝D-2 との係合関係より、光軸方向に駆動され変倍および合焦点動作を行う。
【００２３】
前記回転規制部材Ｂは、図２に示すように、本実施の形態において、前記直進筒Ｅの光軸周りの回転を防止するために、直進筒Ｅの外周面に光軸方向に沿って形成された直進溝Ｅ−１に係合する光軸方向に沿って前方に延びる腕状規制部B-1,B-2 に、その根本側から前方に切り欠き部B-1a,B-2a を形成している。
【００２４】
本実施の形態において、前記切り欠き部B-1a,B-2a の長さは、有効光路に面している領域のみとしている。すなわち、前記レンズ群ホルダー（第３の鏡筒部材）Ｇの側面に隠れている領域（言い換えれば、レンズ群ホルダーＧの外周面に対して径方向外側に位置する領域）には、切り欠き部を設けていない。なお、前記腕状規制部B-1,B-2 には前記切り欠き部B-1a,B-2a が設けられているが、有効光路に面している領域が残っているため、反射減衰効果を持つ塗料を塗布することが望ましい。
【００２５】
図３において、前記レンズ群ホルダーＧは不図示としており、前記腕状規制部B-1,B-2 は前記カム筒Ｄ内壁よりも有効光路に近い位置に配置されている。前記カム筒Ｄの内壁には、公知の技術により有害反射光を軽減させる処理が施されている。
【００２６】
なお、本実施の形態では、本発明を２段繰り出しレンズ鏡筒に適用したものを例示したが、１段繰り出しレンズ鏡筒であっても、多段繰り出しレンズ鏡筒であっても適用可能である。
（第２の実施の形態）
図４は本発明の第２の実施の形態を示す回転規制部材の斜視図である。
【００２７】
なお、レンズ鏡筒構成は第１の実施の形態と同一でよいので説明を省略する。
【００２８】
回転規制部材Ｂの腕状規制部B-1,B-2 に形成された切り欠き部B-1a,B-2a は、前記腕状規制部B-1,B-2 の有効光路に露出している領域全てに設けられていることが望ましいが、前記腕状規制部B-1,B-2 の有効光路に面している領域が大きい場合には、機械的強度の低下という問題が発生する。
【００２９】
そこで本第２の実施の形態では、前記切り欠き部B-1a,B-2a を光軸方向に沿って複数個に分割し、光軸方向に沿った切り欠き部B-1a,B-2a の間に補強リブとしての少なくとも一ヶ所の強化部B-1b,B-2b を設けている。前記強化部B-1b,B-2b は可能な限り小さくすることが望ましい。また、前記腕状規制部B-1,B-2 には前記切り欠き部B-1a,B-2a が設けられているが、有効光路に面している領域が残っているため、反射減衰効果を持つ塗料を塗布することが望ましい。
【００３０】
【発明の効果】
本発明によれば、従来のレンズ鏡筒構造を大きく変更することなく、回転規制部材の腕部における有害反射光を大幅に無くすことが可能となる。
【００３２】
また、本発明によれば、有効光路に面する領域が大きい場合にも有害反射光を大幅に無くすと同時に、機械的強度を確保することが可能となる。
【図面の簡単な説明】
【図１】本発明の第１の実施の形態を示すレンズレンズ鏡筒の分解斜視図
【図２】図１の回転規制部材の斜視図
【図３】図１のレンズレンズ鏡筒のテレ状態斜視図
【図４】本発明の第２の実施の形態の回転規制部材の斜視図
【符号の説明】
Ａ  筒状固定部材
A-1   ヘリコイド
Ｂ  回転規制部材
B-1   腕状規制部
B-1a  切り欠き部
B-1b  補強部
B-2   腕状規制部
B-2a  切り欠き部
B-2b  補強部
Ｃ  回転規制取り付け部材
Ｄ  カム筒
D-1   一群カム溝
D-2   二群カム溝
D-3   歯車
D-4   ヘリコイド
E   直進筒
Ｆ  レンズ鏡筒カバー
Ｇ  レンズ群ホルダー
P-1   一群ピン
P-2   二群ピン
【図１】
0004454757.tif 000002
【図２】
0004454757.tif 000003
【図３】
0004454757.tif 000004
【図４】
0004454757.tif 000005